(57)【要約】【課題】  製造コストを増大することなくそれぞれの操作系に合った画面表示を行うことができ画面を有効に利用できる表示装置を提供すること。【解決手段】  アクセサリースイッチがオンされナビゲーション装置が動作状態になるとナビ制御部１は、道路地図上に表示された自車両Ｍの現在位置と共に、表示画面８の下側部に例えば詳細、広域メニュー、再検索、施設などのタッチパネル１０による操作に必要なタッチスイッチを表示する（ステップＳ１）。そして、ナビ制御部１は、リモコン１２からの操作信号が入力されたか否かを判定し、リモコン１２からの操作信号が入力されたと判定した場合は、タッチパネル１０による操作に必要な詳細、広域、メニュー、再検索、施設などのタッチスイッチを表示しないようにする（ステップＳ２、ステップＳ３）。【選択図】        図２
2005128791.tif 000002
【特許請求の範囲】
【請求項１】
所定の情報を表示する表示手段と、
前記表示手段の表示面に設けられ、当該表示手段に表示されたスイッチ画像に対応する箇所が操作されると所定の操作信号を発生する操作パネルからなる第１の操作手段と、
前記第１の操作手段とは別個に設けられ所定の操作信号を発生する第２の操作手段と、
前記スイッチ画像が表示状態である場合に、前記第２の操作手段から操作信号が発生されると当該スイッチ画像を非表示状態とすると共に、当該スイッチ画像が非表示状態である場合に、前記操作パネルが押圧操作されることによって当該押圧操作に対応する信号が前記第１の操作手段から発生されると当該スイッチ画像を表示状態とする表示切替手段と、
を備えることを特徴とする表示装置。
【請求項２】
前記第２の操作手段は、遠隔操作装置からなることを特徴とする請求項１に記載の表示装置。
【請求項３】
前記第２の操作手段は、音声認識装置からなることを特徴とする請求項１に記載の表示装置。
【請求項４】
前記表示切替手段は、前記スイッチ画像が非表示状態である場合に、前記音声認識装置によって、当該スイッチ画像を表示状態とすることを示す音声が認識された場合は、当該スイッチ画像を表示状態とすることを特徴とする請求項３に記載の表示装置。
【請求項５】
前記スイッチ画像の非表示状態は、当該スイッチ画像が半透明状態であることを含むことを特徴とする請求項１に記載の表示装置。
【発明の詳細な説明】
【技術分野】
【０００１】
本発明は、表示装置に関するものである。
【背景技術】
【０００２】
従来より、例えば特許文献１に記載されるように、表示画面にタッチパネルを配置して、そのタッチパネルにより操作を受け付ける表示装置が知られている。図６は、特許文献１における表示画面の表示例を示したイメージ図であり、（ａ）はルート表示画面であり、（ｂ）はメニュー表示画面である。
【０００３】
この表示装置は、液晶表示パネルとバックライトによって構成された表示部の表面側に透過式のタッチパネル、指の接近などを検出するセンサを配置して形成される。
【０００４】
図６（ａ）に示すように現在位置を基準にした目的地までのルートを表示画面に表示している状態において、センサにて指が表示画面に接近したことが検出されると、図６（ｂ）に示すように表示画面にタッチスイッチとしてのメニューを表示する。そして、センサからの検出信号が途絶え表示画面から指が遠ざけられたと判断すると、所定時間経過した後にメニューが閉じられて図６（ａ）に示すルート表示画面に戻る。
【特許文献１】特開２００２−３５８１６２号公報
【発明の開示】
【発明が解決しようとする課題】
【０００５】
しかしながら、上記特許文献１に記載される表示装置においては、指の接近を検出するためのセンサを設けることによって表示装置の構造が複雑になり、製造コストも増大する。
【０００６】
一方近年では、タッチパネルとジョイスティックなどの遠隔操作装置などとを併用して表示装置の操作を行う場合もある。しかしながら、このように複数の操作装置を併用する際にいずれの操作装置を使用する場合であっても、表示装置の表示内容は基本的に同一である。
【０００７】
本発明は、上記問題点に鑑みなされたものであり、タッチパネルを含む複数の操作装置を併用する際に、製造コストを増大することなくそれぞれの操作系に合った画面表示を行うことによって画面を有効に利用できる表示装置を提供することを目的とするものである。
【課題を解決するための手段】
【０００８】
上記目的を達成するために請求項１に記載の表示装置は、所定の情報を表示する表示手段と、表示手段の表示面に設けられ、その表示手段に表示されたスイッチ画像に対応する箇所が操作されると所定の操作信号を発生する操作パネルからなる第１の操作手段と、第１の操作手段とは別個に設けられ所定の操作信号を発生する第２の操作手段と、スイッチ画像が表示状態である場合に第２の操作手段から操作信号が発生されるとスイッチ画像を非表示状態とすると共に、スイッチ画像が非表示状態である場合に操作パネルが押圧操作されることによってその押圧操作に対応する信号が第１の操作手段から発生されるとスイッチ画像を表示状態とする表示切替手段とを備えることを特徴とするものである。
【０００９】
これによれば、第２の操作手段から操作信号が発生されると第２の操作手段による操作に不要なスイッチ画像を非表示状態とし、操作パネルから押圧操作に対応する信号が発生されると操作パネルによる操作に必要なスイッチ画像を表示状態とするので、製造コストを増大することなくそれぞれの操作系に合った画面表示を行うことができ画面を有効に利用できる。
【００１０】
また、請求項２に記載の表示装置のように、第２の操作手段を遠隔操作装置とすることができる。
【００１１】
また、請求項３に記載の表示装置のように、第２の操作手段を音声認識装置とすることができる。
【００１２】
また、請求項４に記載の表示装置では、表示切替手段は、スイッチ画像が非表示状態である場合に、音声認識装置によって、スイッチ画像を表示状態とすることを示す音声が認識された場合は、スイッチ画像を表示状態とすることを特徴とするものである。
【００１３】
これによれば、音声認識装置によってスイッチ画像を表示状態とするので、操作パネルが押圧操作されるよりも早くスイッチ画像を表示状態とできる。
【００１４】
また、請求項５に記載の表示装置では、スイッチ画像の非表示状態は、スイッチ画像が半透明状態であることを含むことを特徴とするものである。
【００１５】
これによれば、表示手段に表示されたスイッチ画像以外の情報の表示面積を低下させることなく、表示手段にスイッチ画像があることを認識させることができる。
【発明を実施するための最良の形態】
【００１６】
以下、本発明の実施の形態を図に基づいて説明する。なお、本実施の形態では、本発明の表示装置をナビゲーション装置に適用した例について説明する。図１は、本実施の形態におけるナビゲーション装置の概略構成を示すブロック図である。
【００１７】
ナビゲーション装置は、ナビ制御部１、地図データ記憶部２、現在位置検出部３、音声信号出力部４、スピーカ５、画像信号出力部６、表示部７、表示画面８、タッチパネル認識部９、タッチパネル１０、リモコンセンサ１１、リモコン１２などを備える。
【００１８】
ナビ制御部１は、通常のコンピュータとして構成されており、内部には周知のＣＰＵ、ＲＯＭ、ＲＡＭ、Ｉ／Ｏ及びこれらの構成を接続するバスラインが備えられている。ＲＯＭあるいはＲＡＭには、ナビゲーション装置が実行するためのプログラムが書き込まれており、このプログラムに従ってＣＰＵ等が所定の演算処理を実行する。
【００１９】
また、ナビゲーション装置の各種の機能は、操作デバイスであるタッチパネル１０及びリモコン１２によって発生される操作信号と対応付けられている。ナビ制御部１は、この操作信号に基づいて所定の演算処理を実行することによって画像信号、音声信号を生成する。
【００２０】
この画像信号とは、タッチパネル１０による操作を行う際に必要となるタッチスイッチ、案内経路を示す地図、縮尺の変更指示操作に応じて縮尺を変更した地図、目的地の検索結果を示す画像等を表示画面８に表示するための信号である。また、音声信号とは、経路案内を行う際の案内音声などをスピーカ５から出力するための信号である。
【００２１】
地図データ記憶部２は、道路脇施設データ、地図データ、目印データ、背景データ等の各種データを記憶するための装置であり、ナビ制御部１からの要求により各種データを画像信号出力部６に送信する。これら各種データは、そのデータ量からＤＶＤ−ＲＯＭまたはハードディスクを用いるのが一般的であるが、ＣＤ−ＲＯＭ、メモリカードなどを用いてもよい。
【００２２】
現在位置検出部３は、いずれも周知の地磁気センサ、ジャイロスコープ、距離センサ、及びＧＰＳ受信機などを有している。これらは、各々が性質の異なる誤差を持っているため、複数のセンサにより各々補完しながら使用するように構成されている。
【００２３】
音声信号出力部４は、ナビ制御部１からの音声信号によってスピーカ５を介して案内音声等を出力する。画像信号出力部６は、地図データ記憶部２から取得した道路地図などの各種データや、ナビ制御部１からの取得した各種のタッチスイッチなど各種の画像を表示画面８に表示する。
【００２４】
表示部７は、例えば液晶表示パネルとバックライトとにより構成される表示画面８の表面側に、透過式のタッチパネル１０を備える。この表示部７は、タッチパネル１０を介して表示画面８に表示された各種の画像を目視できるように構成されると共に、タッチパネル１０により所定の操作を示す操作信号をナビ制御部１に入力する。詳しくは、タッチパネル認識部９は、タッチパネル１０に対して行われたタッチスイッチの押圧操作に従って、その押圧位置を示す位置情報（操作信号）を検出し、その位置情報（操作信号）をナビ制御部１に対して入力する。ナビ制御部１は、タッチパネル１０から伝送された位置情報（操作信号）に基づいて、タッチパネル１０の対応する位置に対して与えられた機能に従って、所定の演算処理を実行する。
【００２５】
リモコンセンサ１１は、リモコン１２から送信された操作信号を受信し、その操作信号をナビ制御部１に入力する。リモコン１２は、ジョイスティック、パプティクススイッチ、ステアリングスイッチなどからなるものであり、赤外線などを用いた無線通信やケーブルなどを用いた有線通信にて、操作信号をリモコンセンサ１１へ送信する。また、リモコンセンサ１１及びリモコン１２と共に、もしくは置換して音声認識部１３とマイク１４からなる音声認識装置を操作装置として用いても良い。
【００２６】
この操作デバイスであるリモコン１２とタッチパネル１０とは共に所定の操作を示す操作信号をナビ制御部１に入力するものであり、ユーザーの好みなどによって適宜使い分けられるものである。
【００２７】
次に、本発明の実施の形態におけるナビゲーション装置の処理動作に関して説明する。図２は、本発明の実施の形態におけるナビゲーション装置の表示画面８の初期設定をタッチパネル１０による操作を前提とした画像とした場合のナビ制御部１による処理動作を示すフロー図である。図３は、本発明の実施の形態におけるナビゲーション装置の表示画面８の初期設定をリモコン１２による操作を前提とした画像とした場合のナビ制御部１による処理動作を示すフロー図である。
【００２８】
表示画面８の初期設定は、ユーザーの好みなどに応じてタッチパネル１０等を用いて適宜変更可能である。例えば、タッチパネル１０による操作を好むユーザーは表示画面８の初期設定をタッチパネル１０による操作を前提とした画像とし、リモコン１２による操作を好むユーザーは表示画面８の初期設定をリモコン１２による操作を前提とした画像とする。
【００２９】
まず、図２のフロー図に示す操作デバイスの初期設定がタッチパネル１０による操作である場合に関して説明する。このナビ制御部１による処理動作は、アクセサリースイッチがオンされナビゲーション装置が動作状態になるとスタートする。
【００３０】
まずステップＳ１では、ナビ制御部１は、図４に示すようにタッチパネル１０による操作を前提とした画像を表示画面８に表示する。すなわち、道路地図上に表示された自車両Ｍの現在位置と共に、表示画面８の下側部に例えば詳細、広域、メニュー、再検索、施設などのタッチパネル１０による操作に必要なタッチスイッチを表示する。
【００３１】
ステップＳ２では、ナビ制御部１はリモコン１２からの操作信号が入力されたか否かを判定する。すなわち、ナビ制御部１は、リモコン１２による操作がなされたか否かを判定する。リモコン１２による操作がなされたと判定した場合はステップＳ３へ進み、リモコン１２による操作がなされたと判定しない場合はステップＳ１へ戻る。
【００３２】
ステップＳ３では、ナビ制御部１は、図５に示すようにリモコン１２による操作を前提とした画像を表示画面８に表示する。すなわち、図４にて表示していたタッチパネル１０による操作に必要な詳細、広域メニュー、再検索、施設などのタッチスイッチを表示しないようにする。リモコン１２による操作がなされた場合、上記詳細、広域、メニュー、再検索、施設などのタッチスイッチは不要なものであり、表示画面８に表示された道路地図などの表示面積を低下させてしまう。従って、リモコン１２による操作を行う場合には、リモコン１２による操作に不要なタッチスイッチを表示しないことによって、表示画面を有効に利用できる。
【００３３】
次に、図３のフロー図に示す操作デバイスの初期設定がリモコン１２による操作である場合に関して説明する。このナビ制御部１による処理動作は、アクセサリースイッチがオンされナビゲーション装置が動作状態になるとスタートする。
【００３４】
まずステップＳ１１では、ナビ制御部１は、図５に示すようにリモコン１２による操作を前提とした画像を表示画面８に表示する。すなわち、表示画面８には道路地図上及び自車両Ｍの現在位置などのみを表示し、図４にて表示していた詳細、広域メニュー、再検索、施設などのタッチパネル１０による操作に必要なタッチスイッチは表示しない。
【００３５】
ステップＳ１２では、ナビ制御部１はタッチパネル１０からの操作信号が入力されたか否かを判定する。すなわち、ナビ制御部１は、タッチパネル１０による操作がなされたか否かを判定する。タッチパネル１０による操作がなされたと判定した場合はステップＳ１３へ進み、タッチパネル１０による操作がなされたと判定しない場合はステップＳ１１へ戻る。
【００３６】
ステップＳ１３では、ナビ制御部１は、図４に示すようにタッチパネル１０による操作を前提とした画像を表示画面８に表示する。すなわち、図５では表示していなかったタッチパネル１０による操作に必要な詳細、広域、メニュー、再検索、施設などのタッチスイッチを表示画面８に表示する。従って、タッチパネル１０による操作を行うまでは、リモコン１２による操作に不要なタッチスイッチを表示しないので、表示画面を有効に利用できる。
【００３７】
また、タッチパネル１０以外の操作デバイスとして音声認識装置を用いる場合、この音声認識装置にて「スイッチ表示」などのタッチスイッチを表示することを示す音声が認識されたことによって、タッチスイッチを表示画面８に表示するようにしてもよい。
【００３８】
なお、本実施の形態では、図５に示すリモコン１２による操作を前提とした画面では、タッチスイッチを表示しない例を用いて説明したが、本発明はこれに限定されるものではない。例えば、タッチスイッチを半透明にして、道路地図や自車両Ｍの現在位置などが視認できるようにしてもよい。こうすることによって、タッチスイッチによって表示画面８に表示された道路地図などの表示面積を低下させることなく、表示画面８にタッチスイッチがあることをユーザーに認識させることができる。
【図面の簡単な説明】
【００３９】
【図１】本発明の実施の形態における表示装置（ナビゲーション装置）の概略構成を示すブロック図である。
【図２】本発明の実施の形態におけるナビゲーション装置の表示画面８の初期設定をタッチパネル１０による操作を前提とした画像とした場合のナビ制御部１による処理動作を示すフロー図である。
【図３】本発明の実施の形態におけるナビゲーション装置の表示画面８の初期設定をリモコン１２による操作を前提とした画像とした場合のナビ制御部１による処理動作を示すフロー図である。
【図４】本発明の実施の形態における表示装置（ナビゲーション装置）のタッチパネル１０による操作を前提とした表示画面８の表示例を示したイメージ図である。
【図５】本発明の実施の形態における表示装置（ナビゲーション装置）のリモコン１２による操作を前提とした表示画面８の表示例を示したイメージ図である。
【図６】従来技術における表示画面の表示例を示したイメージ図であり、（ａ）はルート表示画面であり、（ｂ）はメニュー表示画面である。
【符号の説明】
【００４０】
１  ナビ制御部、２  地図データ記憶部、３  現在位置検出部、４  音声信号出力部、５  スピーカ、６  画像信号出力部、７  表示部、８  表示画面、９  タッチパネル認識部、１０  タッチパネル、１１  リモコンセンサ、１２  リモコン、１３  音声認識部、１４  マイク
【図１】
2005128791.tif 000003
【図２】
2005128791.tif 000004
【図３】
2005128791.tif 000005
【図４】
2005128791.tif 000006
【図５】
2005128791.tif 000007
【図６】
2005128791.tif 000008